(57)【要約】【課題】トラック内に、主情報信号を表わす第1チャネル信号、キュー情報信号を表わす第2チャネル信号及び副情報信号を表わす第3チャネル信号が記録された光情報担体(6)上のトラックにおけるリードイン領域内に記録された第３チャネル信号をデコード（復号）することで副情報信号を復元すること。【解決手段】光情報担体用の記録装置は、前記副情報信号を符号化して、前記副情報信号からのデータと、該副情報信号のエラー検出及び訂正のためのデータとを含む副情報パックを生成することによって、実質的に非インターリーブ形態で副情報パックを持つような前記第3チャネル信号を供給する手段(4)と、前記第1チャネル信号を当該情報担体上の前記トラックにおける主情報領域内に書き込むと共に、前記第2チャネル信号及び前記第3チャネル信号を前記主情報領域に先行する前記トラックのリードイン領域内に書き込む手段(5)とを備えている。【選択図】図１
2006313641.tif 000002
【特許請求の範囲】
【請求項１】
光情報担体であり、当該情報担体上のトラックにおける主情報領域内に記録された第１チャネル信号と、前記主情報領域に先行する前記トラックにおけるリードイン領域内に記録された第２及び第３チャネル信号とを有し、前記第１チャネル信号が少なくとも１つのプログラム項目を含む主情報信号を表わし、前記第２チャネル信号が、前記少なくとも１つのプログラム項目のために該項目の前記トラック上での場所の表示を含むキュー情報信号を表わし、前記第３チャネル信号が副情報信号を表わし、該副情報信号が、当該副情報信号からのデータと該副情報信号のエラー検出及び訂正のためのデータとをそれぞれが含む副情報パックを担持して成る光情報担体において、前記副情報パックが実質的に非インターリーブ形態で前記記録された第３チャネル信号内に担持されていることを特徴とする光情報担体。
【請求項２】
第１符号ワードが前記副情報パックに含まれて、これら副情報パックが実質的に非インターリーブ形態で前記記録された第３チャネル信号内に担持されていることを表示していることを特徴とする請求項１に記載の光情報担体。
【請求項３】
第２副情報信号からのデータと、該第２副情報信号のエラー検出及び訂正のためのデータとを含む第２の複数の副情報パックが、実質的にインターリーブ形態で前記記録された第３チャネル信号内に含まれることを特徴とする請求項１又は２に記載の光情報担体。
【請求項４】
第１符号ワードが、実質的に非インターリーブ形態で前記記録された第３チャネル信号内に担持されている副情報パックに含まれ、第２符号ワードが、実質的にインターリーブ形態で前記記録された第３チャネル信号内に担持されている副情報パックに含まれることを特徴とする請求項３に記載の光情報担体。
【請求項５】
前記最初に述べた副情報信号が、符号化テキストを担持する複数のパケットを含むことを特徴とする請求項１ないし４の何れか一項に記載の光情報担体。
【請求項６】
前記最初に述べた副情報信号が、符号化テキストを担持するパケットを含み、前記符号ワードが、符号化テキストを担持するパケットの少なくとも一部が含まれた各副情報パックを更にマークすることを特徴とする請求項２又は４に記載の光情報担体。
【請求項７】
前記光情報担体がＣＤ又はＣＤＶディスクの何れかを含む担体であるような光情報担体において、前記第３チャネル信号が、ＣＥＩ(Commisssion Elecrotechnique Internationale)／ＩＥＣ（国際電気標準会議）刊行物９０８に規定されたサブコードチャネルＲ〜Ｗの内の少なくとも１つによって形成された副情報チャネル内に記録されていることを特徴とする請求項１ないし６の何れか一項に記載の光情報担体。
【発明の詳細な説明】
【技術分野】
【０００１】
本発明は、トラックにおける主情報領域内に記録された第１チャネル信号と、前記主情報領域に先行する前記トラックにおけるリードイン領域内に記録された第２及び第３チャネル信号とを有し、前記第１チャネル信号が少なくとも１つのプログラム項目を含む主情報信号を表わし、前記第２チャネル信号が、前記少なくとも１つのプログラム項目のために該項目の前記トラック上での場所の表示を含むキュー情報信号を表わし、前記第３チャネル信号が副情報信号を表わし、該副情報信号が、当該副情報信号からのデータと該副情報信号のエラー検出及び訂正のためのデータとをそれぞれが含む副情報パックを担持して成るような光情報担体に関する。
【背景技術】
【０００２】
上記のような光情報担体は［ｄｏｃ．１（文献１）］、即ちＣＥＩ(Commisssion Elecrotechnique Internationale)／ＩＥＣ（国際電気標準会議）刊行物９０８と、［ｄｏｃ．２（文献２）］、即ち上記刊行物に対する改正６０Ａ（オランダ）８０とに記載されている。副情報信号が［ｄｏｃ．１］及び［ｄｏｃ．２］に規定されているように記録される際、その副情報信号は、図１に示されているようなエンコーダを用いて記録用に準備される。このようなエンコーダは、副情報信号からのデータと、該副情報信号のエラー検出及び訂正のためのデータとを含む副情報パックを形成する。データはシンボルと称される６ビット単位で組に立てられている。このエンコーダは、１つの副情報パック内のシンボルの順序を規定されたように変更する交差接続を含むと共に、個別のこれらシンボルを規定されたように遅延させる記憶素子を含み、これにより情報担体に書き込まれる信号、即ち第３チャネル信号が、インターリーブ形態で上記副情報パックを含むようにする。この方法によって情報担体に記録された第３チャネル信号から前記副情報信号を再生するために、再生装置は、読み出される個別のシンボルの遅延を平衡させる記憶素子と、これらシンボルの元の順序を復元する交差接続とを含むデコーダを組入れて、記録された副情報パックのインターリーブ状態を撤回又は取り消している。
【発明の開示】
【発明が解決しようとする課題】
【０００３】
本発明の目的は、序文に記載されたような光情報担体を提供しようとするものであり、光情報担体上のトラックにおけるリードイン領域内に記録された第３チャネル信号をデコード（復号）する簡素化された方法を可能として、副情報信号を復元しようとするものである。
【課題を解決するための手段】
【０００４】
本発明に関連する記録方法は、前記副情報パックを実質的に非インターリーブ形態で生成させ、その形態で前記第３チャネル信号内に含ませることを特徴としている。この第３チャネル信号が［ｄｏｃ．２］に規定されるように光情報担体上に記録される場合、副情報信号は、副情報パックが副情報信号からのデータと該副情報信号のエラー検出及び訂正のためのデータとを含んで生成され、こうした副情報パック内のシンボルの順序が変更され、且つ、個々のシンボルが遅延されるように符号化される。このような情報担体からの上記副情報信号の再生のためには、先行技術で記載されたような複雑なデコーダ（復号器）を再生装置に組入れなければならない。リードイン領域から副情報信号を再生する再生装置内で、簡素化されたデコーダを使用することができるようにするため、本発明では、副情報パックが第３チャネル信号内に非インターリーブ形態で含まれることを規定する。
【０００５】
先行技術に従って、副情報パックをインターリーブする過程を含む記録方法が適用される場合は、本発明に係る実施例では、前記符号化する過程が、上記副情報パックを前記インターリーブする過程の後でポスト-インターリーブ（後インターリーブ）する過程を更に含み、これにより実質的に非インターリーブ形態で前記副情報パックを生成するようにしている。この実施例は、特に、既に含まれている過程は変更できないが、新しい過程は追加することができるような先行技術に係る記録方法の実施を向上（アップグレード）するのに有効である。この記録方法における余分な過程に関しての短所は、簡素化された復号法を可能とするというアップグレードの長所によって十二分に補われている。
【０００６】
本発明に関連する方法の一実施例は、副情報信号を符号化する前記過程が、
−副情報パックが実質的に非インターリーブ状態であることを表示する第１符号ワードを生成し、
−第１符号ワードを、実質的に非インターリーブ形態で生成される副情報パックに含ませる、
各過程を更に含むことを特徴としている。この符号ワードは、副情報パックが簡素化されたデコーダを用いて復号可能であることを、再生装置に認識させる補助を為し得る。
【０００７】
本発明に関連する方法の更なる実施例は、前述したように、非インターリーブ形態で第１の副情報信号を記録することに加えて、第２の副情報信号を記録することができる記録方法であって、
−前記第２副情報信号からのデータと、該第２副情報信号のエラー検出及び訂正のためのデータとを含む第２副情報パックを生成し、これら第２副情報パックをインターリーブすることによって前記第２副情報信号を符号化し、
−前記インターリーブ状態の第２副情報パックを前記第３チャネル信号内に挿入する、
各過程を含むことを特徴としている。こうして、この方法は、簡素化された復号用に記録された副情報パックと、先行技術に従って記録された副情報パックとを提供する。この方法は、これら２つの副情報信号が異なるタイプのデコーダ用、即ち異なるタイプの再生装置用に的がしぼられている場合に有用である。例えば、これら２つの副情報信号が実質的に同一の情報を担持している場合、簡素化されたデコーダ及び先行技術に従ったデコーダの両方が、情報担体上に記録された復号可能な副情報パックを見出して、これら両方のタイプのデコーダが実質的に同一の情報を再生できることになる。
【０００８】
第１副情報信号と第２副情報信号とを記録する上記方法は、
−副情報パックが実質的に非インターリーブ状態であることを表示する第１符号ワードと、副情報パックが実質的にインターリーブ状態であることを表示する第２符号ワードとを生成し、
−第１符号ワードを、実質的に非インターリーブ形態で生成され、その形態で前記第３チャネル信号内に担持される副情報パックに含ませると共に、実質的にインターリーブ形態で生成され、その形態で前記第３チャネル信号内に担持される副情報パックに第２符号ワードを含ませる、
各過程を含むことで更に特徴付けることが可能である。符号ワードは、再生装置に対して、該再生装置に含まれるタイプのデコーダによって副情報パックが復号可能であることを認識させる補助を為し得る。第１符号ワードでラベル表示された副情報パックは、簡素化されたデコーダによって復号されることができ、第２符号ワードでラベル表示された副情報パックは、先行技術に従ったデコーダによって復号されることができる。ここで留意されることは、符号ワードは、こうしたパックがインターリーブ状態であるのか否かの単なる表示以上の情報を担持し得ることであり、例えば、そのパック内に担持された情報のタイプをも表示し得る。よって、多数の第１符号ワード及び多数の第２符号ワードを使用し得る。各副情報パックには、多数の第１符号ワードからの１つか、又は多数の第２符号ワードからの１つかの、１個で且つ１符号ワードのみが含まれる。
【０００９】
本発明に関連する方法の一実施例は、前記最初に述ベた副情報信号が、符号化テキストを担持しているパケットを含むことで更に特徴付けることが可能である。この符号化テキストは、プログラムトラック・リスト、演奏するアーティストに関しての情報及びアルバムタイトル等の異なる情報カテゴリーを含むことができる。更に、符号化テキスト・パケット及び特定の情報カテゴリーへのリンクを為すコマンド・パケットにおける符号は、メニュー・タイプのテキスト表示から対話形式の選択を為す手段を提供し得る。符号化テキストを担持しているこうしたパケットを情報担体のリードイン領域内に設けることは、これによって、主情報領域に記録された主情報信号の再生に先行して、上記テキストの復号及び表示を可能とするので特に有用である。
【００１０】
後者の実施例の更なる改良は、符号ワードを生成する前記過程が、符号化テキストを担持しているパケットの少なくとも一部が含まれている各副情報パックを更にマークする符号ワードを生成することができることで特徴付けることが可能である。こうして、１つの副情報パックに含まれる符号ワードは当該パックに担持された情報のタイプをも識別する。これは、再生に際して、適切なデータを、テキスト・デコーダ及びＭＩＤＩ（ミディー）データ・デコーダ等々の異なるタイプのデータ・デコーダに提供するのに有用である。
【００１１】
ＣＤ又はＣＤＶディスク等の光情報担体上に記録するために適用され得る上述の数々の記録方法の各々は、前記第３チャネル信号を、［ｄｏｃ．１］に定義されたようなサブコードチャネルＲ〜Ｗの内の少なくとも１つによって形成された副情報チャネル内に記録されることで更に特徴付けられる。副情報信号をＣＤ上のサブコードチャネルＲ〜Ｗ内に記録する方法は、［ｄｏｃ．２］の記載から演繹することができる。しかしながら、本発明に開示された方法は、トラックのリードイン領域内に記録された第３チャネル信号を復号する簡素化された方法を可能としている。
【００１２】
光情報担体上のトラックにおける主情報領域に記録された第１チャネル信号を有すると共に、該主情報領域に先行する前記トラックにおけるリードイン領域に記録された第２及び第３チャネル信号を有する光情報担体であり、前記第１チャネル信号が少なくとも１つのプログラム項目を含む主情報信号を表わし、前記第２チャネル信号が前記少なくとも１つのプログラム項目に関し該項目の前記トラックにおける場所の表示を含むキュー情報信号を表わし、前記第３チャネル信号が前記副情報信号からのデータと、該副情報信号のエラー検出及び訂正のためのデータとを含む副情報パックを担持している副情報信号を表わしているような光情報担体は、本発明によれば、前記副情報パックが実質的に非インターリーブ形態で前記記録された第３チャネル信号に担持されていることで特徴付けられる。前記第３チャネル信号が［ｄｏｃ．２］に規定されたように光情報担体上に記録されている際、上記副情報パックは、副情報パック内におけるシンボルの順序が変更されており、且つ個々のシンボルが遅延されているようになって含まれる。そのような情報担体から上記副情報信号を再生するためには、先行技術に記載されたような複雑なデコーダが再生装置内に組込まれる必要性がある。リードイン領域から上記副情報パックを再生する再生装置内で簡素化されたデコーダを用いることを可能とするために、本発明は、これらの副情報パックが非インターリーブ形態で第３チャネル信号に含まれることを規定する。
【００１３】
本発明に係る光情報担体の更なる実施例は、第２副情報信号からのデータと、該第２副情報信号のエラー検出及び訂正のためのデータとを含む第２副情報パックが、実質的にインターリーブ形態で前記記録された第３チャネル信号内に含まれることで特徴付けられる。こうして、この情報担体は、簡素化された復号に適合する副情報パックと、先行技術に従った復号に適合する副情報パックとを担持する。これによって該情報担体を、異なるタイプのデコーダを組込んでいる異なるタイプの再生装置での再生用に適合させることを可能としている。
【００１４】
この実施例の更なる改良は、前記記録された第３チャネル信号内に実質的に非インターリーブ形態で担持された副情報パック内に第１符号ワードを含ませ、前記記録された第３チャネル信号内に実質的にインターリーブ形態で担持された副情報パック内に第２符号ワードを含ませることで特徴付けられる。こうした符号ワードは、再生装置に対して、該再生装置に含まれるタイプのデコーダによって復号可能である副情報パックを認識させる補助を為し得る。第１符号ワードでラベル表示された副情報パックは、簡素化されたデコーダによって復号させることができ、第２符号ワードでラベル表示された副情報パックは、先行技術に係るデコーダによって復号させることができる。
【００１５】
光情報担体上のトラックに、主情報信号を表わす第１チャネル信号と、キュー情報信号を表わす第２チャネル信号と、副情報信号を表わす第３チャネル信号とを記録する記録装置であり、前記主情報信号が少なくとも１つのプログラム項目を含み、前記キュー情報信号が前記少なくとも１つのプログラム項目に関し該項目の前記トラック上での場所の表示を含むような記録装置であって、
−前記主情報信号、前記キュー情報信号及び前記副情報信号を受信する手段と、
−前記主情報信号を符号化して、前記第１チャネル信号を提供する手段と、
−前記キュー情報信号を符号化して、前記第２チャネル信号を提供する手段と、
−前記副情報信号からのデータと、該副情報信号のエラー検出及び訂正のためのデータとを含む副情報パックを生成することによって前記副情報信号を符号化して、前記第３チャネル信号を提供する手段と、
−前記第１チャネル信号を前記情報担体上の前記トラックにおける主情報領域に書き込むと共に、前記第２チャネル信号及び前記第３チャネル信号を、前記主情報領域に先行する前記トラックにおけるリードイン領域に書き込む手段と、
を備える本発明に関連する記録装置は、前記副情報信号を符号化する前記手段が、前記副情報パックを実質的に非インターリーブ形態で生成できると共に、前記副情報パックを上記形態で担持する前記第３チャネル信号を提供できることで特徴付けられる。副情報信号が［ｄｏｃ．２］に規定されたように符号化される際、副情報パックが、前記副情報信号からのデータと、該副情報信号のエラー検出及び訂正のためのデータとを含んで生成され、副情報パック内のシンボルの順序が変更され、且つ、個々のシンボルが遅延される。このような情報担体からの上記副情報信号の再生には、先行技術に記載されたような複雑なデコーダを、再生装置内に組込まなければならない。リードイン領域から副情報パックを再生する再生装置内で簡素化されたデコーダの使用を可能とするために、本発明は、再生装置に含まれる副情報エンコーダ（符号器）が、副情報パックを非インターリーブ形態で生成することを規定する。
【００１６】
本発明に関連する記録装置の更なる実施例は、上述したような非インターリーブ形態で第１副情報信号を記録すると共に、第２副情報信号を記録する記録装置であって、
−前記第２副情報信号からのデータと、該第２副情報信号のエラー検出及び訂正のためのデータとを含む第２副情報パックを生成し、これら第２副情報パックをインターリーブすることによって前記第２副情報信号を符号化する手段と、
−前記インターリーブ状態の第２副情報パックを前記第３チャネル信号に挿入する手段と、
を備えることで特徴付けられる。こうして、この記録装置は、簡素化された復号用に適合する副情報パックと、先行技術に従ったデコーダによる復号用に適合する副情報パックとを記録する。この構成は、これら２つの副情報信号が異なるタイプのデコーダ用、即ち異なるタイプの再生装置用に的がしぼられている場合に有用である。この記録装置は、もし、上記第２副情報信号が前記第１副情報信号と実質的に同一であれば、第２副情報信号を受信する手段を含む必要性はない。こうして、同一の情報が、異なるタイプのデコーダ用に、即ち、簡素化された復号用と共に先行技術に係る復号用に記録され得る。
【００１７】
光情報担体上のトラックから情報を再生する再生装置であって、
−前記トラックにおける主情報領域に記録された主情報信号を表わす第１チャネル信号を読み取ると共に、共に前記主情報領域に先行する前記トラックにおけるリードイン領域に記録された、キュー情報信号を表わす第２チャネル信号及び副情報信号を表わす第３チャネル信号を読み取る読取手段と、
−前記主情報信号を回復するために、前記第１チャネル信号を復号する手段と、
−前記キュー情報信号を回復するために、前記第２チャネル信号を復号する手段と、
−前記副情報信号を回復するために、前記第３チャネル信号を復号する手段であり、前記第３チャネル信号内に存在し得るエラーを訂正するためのエラー検出及び訂正のための手段を含む手段と、
を備える本発明に関連する再生装置は、前記第３チャネル信号を復号する手段が、インターリーブ解除（デインターリーブ）のための手段を欠いていることで特徴付けられる。こうして、上記デコーダは、先行技術のデコーダに対して、個々のシンボルの遅延を平衡する記憶要素と、これらシンボルの元の順序を回復する交差接続とが省略される点で簡素化されている。
【００１８】
本発明に関連する再生装置の実施例は、前記第３チャネル信号を復号する前記手段が、
−１つの副情報パックから前記符号ワードを回復する手段と、
−前記符号ワードを、副情報パックが実質的に非インターリーブ状態であることを表示する第１符号ワードと比較する手段と、
−前記符号ワードが第１符号ワードであることを認識するに応じて、前記副情報信号を出力に供給することを可能とすることができると共に、前記符号ワードが第１符号ワードではないことを認識するに応じて、前記副情報信号を出力に供給することを不能とすることができるスイッチング手段と、
を備えることで特徴付けられる。こうして、上記デコーダは、何れの副情報パックが良好に復号され得るか否かを認識する。もし、上記デコーダが符号ワードを検査しなければ、エラーを偶然に全く生じないか又はほんの少ししか生じないようなインターリーブ状態のパックを誤って受容してしまう危険を冒して、復号できないパックを識別するためにエラー検出のみに依存しなければならなくなる。
【００１９】
本発明による光情報担体上のトラックから情報を再生する再生装置であって、
−前記トラックの主情報領域に記録された主情報信号を表わす第１チャネル信号を読み取ると共に、共に前記主情報領域に先行する前記トラックのリードイン領域に記録された、キュー情報信号を表わす第２チャネル信号及び副情報信号を表わす第３チャネル信号を読み取る読取手段と、
−前記主情報信号を回復するために、前記第１チャネル信号を復号する手段と、
−前記キュー情報信号を回復するために、前記第２チャネル信号を復号する手段と、
−前記副情報信号を回復するために、前記第３チャネル信号を復号する手段であり、インターリーブ解除された第３チャネル信号を得るべく、前記第３チャネル信号をインターリーブ解除する手段を含むと共に、前記第３チャネル信号内に存在し得るエラーを訂正すべく、エラー検出及び訂正のためのエラー訂正手段を更に含む手段と、
を備える再生装置は、本発明によれば、前記復号する手段が、第１制御信号の存在に応じて前記エラー訂正手段に前記第３チャネル信号を提供することができると共に、第２制御信号の存在に応じて前記エラー訂正手段に前記インターリーブ解除された第３チャネル信号を提供することができるスイッチング手段を含むことで特徴付けられる。こうして、このデコーダは、インターリーブ状態のパックの復号と、非インターリーブ状態のパックの復号とを為すことができる。上記制御信号は、何れのタイプの復号が動作中かを決定する。
【００２０】
上記デコーダの一実施例は、インターリーブ解除器の入力に提供されて、該インターリーブ解除器を迂回するようなパックか、又はインターリーブ解除器の出力によって提供されるパックの何れかを、エラー検出器に供給するスイッチで補われたような先行技術に従ったデコーダを備え得る。このデコーダの他の実施例は、先行技術に従ったデコーダを備け、このデコーダに、記録中の使用のための［ｄｏｃ．２］に記載されたものと同様なインターリーブ器と、前記インターリーブ器の入力に提供されて、該インターリーブ器を迂回するようなパックか、又は該インターリーブ器の出力によって提供されるパックの何れかを、当該先行技術のデコーダに供給するスイッチとを前置する。これら両実施例は、後者の実施例が非インターリーブ状態のパックの復号に際して一定の余分な遅延を示すことを除いて、上記エラー検出器の出力に同一の信号を供給する。
【００２１】
本発明に関連する再生装置の更なる実施例は、前記トラックのリードイン領域の読み取りに相関させて第１制御信号を、前記トラックの主情報領域の読み取りに相関させて第２制御信号を各々生成する手段を更に備えることで特徴付けられる。こうして、ここでのデコーダは、主情報領域を読み取る際にインターリーブ解除を適用し、リードイン領域を読み取る際にインターリーブ解除を適用しないこととなる。ここで留意することは、先行技術に従えば、副情報パックは、それらが記録される領域の如何に拘らず、それぞれインターリーブ状態と為されることである。本発明は、副情報パックがリードイン領域に非インターリーブ形態で記録されることを開示するものである。
【００２２】
本発明に関連する再生装置の他の実施例は、前記第３チャネル信号を復号する前記手段が、前記副情報パックに含まれるデータから、符号化されたテキストを担持しているパケットを再構築することができることで特徴付けられる。こうして、このデコーダは符号ワードに応じて、インターリーブ解除を適用したり、適用しなかったりする。もし、デコーダが符号ワードを検査しなければ、該デコーダは誤った決定を下すという危険を冒して、インターリーブ解除が必要か否かを決定すべくインターリーブ解除の前後両方で、エラー検出を適用しなければならない。
【００２３】
本発明に関連する再生装置の実施例は、前記第３チャネル信号を復号する前記手段が、前記副情報パックに含まれるデータから、符号化されたテキストを担持しているパケットを再構築することができることで特徴付けることが可能である。この符号化テキストは、プログラムトラック・リスト、演奏するアーティストに関しての情報及びアルバムタイトル等の異なる情報カテゴリーを含むことができ、再生装置は聴者に対して、例えばメニュー・タイプのテキスト表示から、何れを表示すべきかを選択させることができる。これらパケットから、例えば、ディスプレイ上により魅力的に表示すべく、カラー属性符号や符号化グラフィックス等の更なる情報を検索することができる。この再生装置は、異なるタイプのディスプレイでの表示を支援する情報は符号-テキスト・パケット内で提供され得るので、種々のタイプのディスプレイを取込むことができる。情報担体のリードイン領域から符号化テキストを担持するこうしたパケットを読み取ることは特に有用であり、その理由としては、これによって、主情報領域に記録された主情報信号の再生に先行して、上記テキストの復号及び表示を可能とできるからである。こうして、聴者は、例えば、実際のプレイバック又は再生を開始する前に再生すべきプログラムトラックを選択することができる。再生装置は、リードイン領域から読み取られた符号化テキスト・パケットを、例えば当該再生装置内に組入れられたＲＡＭタイプのメモリに保存することができて、これにより主情報信号のプレイバック（再生）中にも、そうしたパケットから情報を再生することができる。
【００２４】
後者の実施例の更なる改良は、前記第３チャネル信号を復号する前記手段が、
−前記符号ワードを、符号化テキストを担持するパケットの少なくとも一部を含む副情報パックを識別する符号ワードと比較し、
−符号化テキストを担持するパケットの少なくとも一部を含むものとして認識された各副情報パックに含まれるデータから、符号化テキストを担持するパケットを再構築し、
−符号化テキストを担持する前記パケットを、テキストを復号して表示できる手段へ提供する、
ことができることで特徴付けられる。こうして、このデコーダは、符号ワードから、副情報パックに担持された情報のタイプを識別できる。これは、テキスト・デコーダ及びＭＩＤＩ（ミディー）データ・デコーダ等々の異なるタイプのデータ・デコーダに適切なデータを提供する上で有用である。
【００２５】
ここで留意することは、情報担体上の副チャネルを介して符号化テキストを担持するパケットを搬送するためのシステム、情報担体及び再生構成は、欧州特許出願第 EP 0 325 325 号で公知であるということである。しかしながら、この特許出願は、テキスト情報を担持するパケットが情報担体上のトラックにおけるリードイン領域に記録される旨を開示していない。更に、本発明は、再生中に情報を復号する簡素化された方法を可能とするような光情報担体を開示するものである。
【００２６】
以下、本発明を、次に説明する図面を参照して、例示目的のためにより詳細に説明する。
【発明を実施するための最良の形態】
【００２７】
図１は、［ｄｏｃ．１］及び［ｄｏｃ．２］に従って光情報担体上にチャネル信号を記録するための先行技術に係る記録装置を示す。この記録装置は、主情報信号を受信する入力ターミナル１ａを含み、該ターミナルは主情報エンコーダ２の入力に結合されている。この主情報エンコーダは、［ｄｏｃ．１］に記載されたように、上記主情報信号を符号化（コード化）して、当該主情報エンコーダの出力に提供される第１チャネル信号ＣＳ１と為す。前記出力は書き込み手段５の入力に結合され、該書き込み手段は、［ｄｏｃ．１］に記載されたように多数のチャネル信号を多重化し、情報媒体に特定的なチャネル符号化をする手段を含む。書き込み手段５で生成された信号は、光情報担体６上に記録される。この記録装置はキュー情報信号を受信する入力ターミナル１ｂを更に含み、該ターミナルはキュー情報エンコーダ３の入力に結合されている。このキュー情報エンコーダは、［ｄｏｃ．１］に記載されたようにキュー情報信号を符号化して、当該キュー情報エンコーダの出力に提供される第２チャネル信号ＣＳ２と為す。前記出力は、前述された書き込み手段５の他の入力に結合されている。また、この記録装置は、副情報信号を受信する入力ターミナル１ｃを更に含み、該ターミナルは副情報エンコーダ４の入力４０に結合されている。この副情報エンコーダは、［ｄｏｃ．２］に記載されたように副情報信号を符号化して、当該副情報エンコーダの出力４１に提供される第３チャネル信号ＣＳ３と為す。前記出力は、前述された書き込み手段５の他の入力に結合されている。本発明の実施例において、書き込み手段５は、第１チャネル信号を光情報担体上のトラックにおける主情報領域内に書き込み、第２及び第３のチャネル信号を上記主情報領域に先行する前記トラックにおけるリードイン領域内に書き込む。
【００２８】
図２は本発明に係る副情報エンコーダ４の実施例を示す。この実施例は、副情報信号を受信する入力４０を含み、該入力は上記副情報信号のエラー検出及び訂正のためのデータを生成し且つ追加する手段４２の入力に結合されている。この手段４２の出力は出力４１に結合されて、その結果としての第３チャネル信号を供給する。手段４２は［ｄｏｃ．２］で公知であり、図３により詳細に示されている。これらの手段は、シンボルＨ０及びＨ１を入力として取込み、シンボルＨ０，Ｈ１，Ｑ０及びＱ１を出力として提供するＱパリティ・エンコーダを含む。シンボルＱ０及びＱ１はＱパリティ・データを含む。また、手段４２は、シンボルＨ０，Ｈ１，Ｑ０，Ｑ１及びＤ０ないしＤ１５を入力として取込み、シンボルＨ０，Ｈ１，Ｑ０，Ｑ１，Ｄ０ないしＤ１５及びＰ０ないしＰ３を出力として提供するＰパリティ・エンコーダを更に含む。シンボルＰ０ないしＰ３はＰパリティ・データを含む。シンボルＨ０，Ｈ１，Ｑ０，Ｑ１，Ｄ０ないしＤ１５及びＰ０ないしＰ３は一緒になって１つの副情報パックを形成している。ここで留意されることは、手段４２は［ｄｏｃ．２］で規定されるように、シンボル順序を変更し、及び個々のシンボルを遅延させる手段を含まぬことである。
【００２９】
図４は本発明に係る副情報エンコーダ４の他の実施例を示す。この実施例は、副情報信号を受信する入力４０を備え、この入力は上述した手段４２の入力に結合されている。この手段４２の出力は下述するインターリーブ手段４３の入力に結合されている。このインターリーブ手段の出力は、下述するポスト-インターリーブ（後インターリーブ）手段４４の入力に結合されている。このポスト-インターリーブ手段の出力は、出力４１に結合されて、その結果としての第３チャネル信号を供給する。インターリーブ手段４３は［ｄｏｃ．２］より公知であり、図５により詳細に示されている。この手段は、シンボル順序を変更する複数の交差接続と、個々のシンボルを遅延させる手段４３１とを備える。個別のシンボルに付与される遅延は、期間τの０から７の範囲の倍数であり、この期間τは１つの副情報パックの書き込みに対応する時間を表わす。ポスト-インターリーブ手段４４は図６により詳細に示されている。この手段は、個々のシンボルを遅延させる手段４４１と、シンボル順序を復元させるための複数の交差接続とを備える。個別のシンボルに付与される遅延は期間τの倍数であり、この期間τは上述されたように、インターリーブ手段内でシンボルに付与された遅延を平衡させるものであり、より詳細には、インターリーブ手段及びポスト-インターリーブ手段の組合わせにおける各シンボルを期間τの８倍或いは期間τの８倍の倍数に等しい期間遅延させるようなものである。
【００３０】
図７は、本発明に係る副情報エンコーダ４の他の実施例を示す。この実施例は、第１副情報信号を受信する入力４０を備え、該入力はスイッチング手段４６の入力４６ｂに結合されている。更にこの実施例は、第２副情報信号を受信する入力４５を備え、該入力はスイッチング手段４６の入力４６ａに結合されている。このスイッチング手段は、制御入力４６ｄに供給される制御信号に依存して、入力４６ａからの信号又は入力４６ｂからの信号を出力４６ｃに結合するか、又は出力４６ｃに何も結合しない。一方の入力から他方の入力への変更の際における過渡期の間に上記スイッチング手段をその中立位置に置いて、何等入力（信号）を出力に結合しないことは、インターリーブ手段での遅延を考慮して有益である。このスイッチング手段の出力４６ｃは、上述した手段４２の入力に結合されている。この手段４２の出力は、手段４７の入力に結合されており、該手段４７は、その制御入力に供給される制御信号に依存して、符号ワードを生成すると共に副情報パック内に符号ワードを含めるための手段を含む。手段４７の出力は、インターリーブ手段４３の入力と、スイッチング手段４８の入力４８ｂとに結合されている。インターリーブ手段４３は上述したようなものである。このインターリーブ手段の出力は、スイッチング手段４８の入力４８ａに結合されている。このスイッチング手段は、制御入力４８ｄに供給される制御信号に依存して、入力４８ａからの信号又は入力４８ｂからの信号を出力４８ｃに結合する。このスイッチング手段の出力４８ｃは、出力４１に結合されて、結果としての第３チャネル信号を供給する。ここで留意することは、同一の副情報信号をスイッチング手段４６の入力４６ａ及び４６ｂの両方へ供給してもよいことである。こうして、同一情報がインターリーブ形態のみらならず非インターリーブ形態でも記録され得る。結果として、この記録装置は第２副情報信号を受信するための入力を備える必要性がない。
【００３１】
図８は、図７に示されたものと非常に類似した実施例を示しているが、以下の通りに変更されている。手段４７の出力は、上述したインターリーブ手段４３の入力に結合されている。このインターリーブ手段の出力は、スイッチング手段４８の入力４８ａと、上述したポスト-インターリーブ手段４４の入力とに結合されている。このポスト-インターリーブ手段の出力は、スイッチング手段４８の入力４８ｂに結合されている。
【００３２】
図９は先行技術に係る再生装置を示し、［ｄｏｃ．１］及び［ｄｏｃ．２］に従って、光情報担体上のトラック内に記録された信号を再生するものである。この再生装置は、情報担体６から信号を読み取るための手段７を備え、この手段は、［ｄｏｃ．１］に従って、情報媒体に特定的なチャネル復号を為すと共にチャネル信号を多重分離（デマルチプレクス）する手段を更に備える。読み取り手段７の第１出力は、第１チャネル信号ＣＳ１を提供し、この出力は主情報デコーダ８の入力に結合されている。この主情報デコーダは、［ｄｏｃ．１］に記載されたように、第１チャネル信号ＣＳ１を復号して、当該主情報デコーダの出力に提供される主情報信号と為す。この出力は、出力ターミナル１１ａに結合されている。読み取り手段７の第２出力は、第２チャネル信号ＣＳ２を提供し、この出力はキュー情報デコーダ９の入力に結合されている。このキュー情報デコーダは［ｄｏｃ．１］に記載されているように第２チャネル信号ＣＳ２を復号して、当該キュー情報デコーダの出力に提供されるキュー情報信号と為す。この出力は公知のタイプのシステム・コントローラ１２に結合されている。このシステム・コントローラは、キーボード等のユーザからの入力を受信する手段１３と、テキストを表示するディスプレイ装置等のユーザに情報を提供する手段１４とに、通常、結合されている。読み取り手段７の第３出力は、第３チャネル信号ＣＳ３を提供し、この出力は副情報デコーダ１０の入力に結合されている。この副情報デコーダは［ｄｏｃ．２］に記載されたように第３チャネル信号ＣＳ３を復号して、当該副情報デコーダの出力に提供される副情報信号と為す。この出力は、上述したようなシステム・コントローラ１２に、通常、結合されており、又、出力ターミナル１１ｂに接続してもよい。本発明の各実施例において、読み取り手段７は、光情報担体上のトラックにおける主情報領域から第１チャネル信号を読み取ると共に、この主情報領域に先行する前記トラックにおけるリードイン領域から第２及び第３チャネル信号を読み取ることができる。
【００３３】
図１０は本発明に係る副情報デコーダ１０の実施例を示す。この実施例は第３チャネル信号を受信するための入力１００を備える。この入力は、スイッチング手段１０４の入力１０４ａと、前記符号ワードを回復して該ワードを所定の第１符号ワードと比較する手段１０３の入力と、に結合されている。手段１０３は、スイッチング手段１０４の制御入力１０４ｃに提供される制御信号を生成する。このスイッチング手段は、その入力１０４ａを制御入力１０４ｃに供給される制御信号に依存して、出力１０４ｂに結合したり又は結合しなかったりする。スイッチング手段１０４の出力は、エラー訂正手段１０２の入力に結合されており、このエラー訂正手段は副情報パック内のエラーを検出し、可能であれば、そうしたエラーを訂正することができる。エラー訂正手段１０２の出力は、出力１０１に結合されて、前記副情報信号を提供する。エラー訂正手段１０２は［ｄｏｃ．２］から公知である。この手段はＰパリティの復号を為し、Ｑパリティの復号を為す。ここで留意されることは、手段１０２は、［ｄｏｃ．２］に規定されたように、個々のシンボルを遅延すると共にシンボル順序を戻す手段を備えていないということである。
【００３４】
図１１は本発明による副情報デコーダ１０の他の実施例を示す。この実施例は第３チャネル信号を受信するための入力１００を備える。この入力は、スイッチング手段１０５の入力１０５ａと、インターリーブ解除（デインターリーブ）手段１０６の入力とに結合されている。このインターリーブ解除手段は、［ｄｏｃ．２］に規定されたように、個々の記号を遅延すると共にシンボル順序を復元する手段を備える。インターリーブ解除手段１０６の出力は、スイッチング手段１０５の入力１０５ｂに結合されている。このスイッチング手段は、制御入力１０５ｄ上の第１制御信号に応じて、入力１０５ａからの信号を出力１０５ｃに結合すると共に、制御入力１０５ｄ上の第２制御信号に応じて、入力１０５ｂからの信号を出力１０５ｃに結合する。スイッチング手段１０５の出力１０５ｃは、上述したエラー訂正手段１０２の入力に結合されている。エラー訂正手段１０２の出力は、出力１０１に結合されて、前記副情報信号を提供する。上記第１及び第２制御信号は手段１０７によって提供され得るが、該手段１０７は副情報パック内の符号ワードを受信するための手段を備える。手段１０７の入力は入力１００に接続されるか、又は副情報パックを引出すことが可能な他の出力に接続され得る。
【００３５】
図１２は本発明に関連する副情報デコーダ１０の他の実施例を示す。この実施例は第３チャネル信号を受信するための入力１００を備える。この入力は、スイッチング手段１０９の入力１０９ｂと、インターリーブ手段１０８の入力とに結合されている。このインターリーブ手段は、記録の際に使用される［ｄｏｃ．２］に記載されたインターリーブ手段と同様に、シンボル順序を変更する交差接続と、個々のシンボルを遅延する手段とを備える。インターリーブ手段１０８の出力は、スイッチング手段１０９の入力１０９ａに結合されている。このスイッチング手段は、制御入力１０９ｄ上の第１制御信号に応じて、入力１０９ａからの信号を出力１０９ｃに結合し、制御入力１０９ｄ上の第２制御信号に応じて、入力１０９ｂからの信号を出力１０９ｃに結合する。スイッチング手段１０９の出力１０９ｃは、上述したインターリーブ解除（デインターリーブ）手段１０６の入力に結合されている。インターリーブ解除手段１０６の出力は、上述したエラー訂正手段１０２の入力に結合されている。エラー訂正手段１０２の出力は、出力１０１に結合されて、副情報信号を提供する。上記第１及び第２制御信号は、手段１０７によって提供され得るが、この手段１０７は副情報パック内の符号ワードを復元するための手段を備える。手段１０７の入力は、入力１００に結合されるか、又は副情報パックを引出すことが可能な他の出力に結合され得る。
【図面の簡単な説明】
【００３６】
【図１】図１は、［ｄｏｃ．１］に記載されたようにコンパクト・ディスク上に記録するための手段を簡素化された形態で示す。
【図２】図２は、本発明に従って、副情報信号を符号化して、非インターリーブ形態で副情報パックを生成するようなエンコーダの実施例を示す。
【図３】図３は、［ｄｏｃ．２］に記載されたように、副情報信号のエラー検出及び訂正のためのデータを生成して追加するための手段を示す。
【図４】図４は、本発明に従って、副情報信号を符号化して、非インターリーブ形態で副情報パックを生成するようなエンコーダの実施例を示す。
【図５】図５は、［ｄｏｃ．２］に記載されたように、シンボル順序を変更する交差連結と、個々のシンボルを遅延させる手段とを示す。
【図６】図６は、ポスト-インターリーブをするための手段を示す。
【図７】図７は、本発明に従って、副情報信号を符号化して、インターリーブ状態及び非インターリーブ状態の両形態で副情報パックを生成するエンコーダの実施例を示す。
【図８】図８は、本発明に従って、副情報信号を符号化して、インターリーブ状態及び非インターリーブ状態の両形態で副情報パックを生成するエンコーダの実施例を示す。
【図９】図９は、［ｄｏｃ．１］に記載されたように、コンパクト・ディスク上に記録された信号を再生するための手段を簡素化された形態で示す。
【図１０】図１０は、本発明に従って、副情報信号を復元して、非インターリーブ形態で記録された副情報パックを復元するデコーダの実施例を示す。
【図１１】図１１は、本発明に従って、副情報信号を復元して、非インターリーブ形態及びインターリーブ形態で記録された複数の副情報パックの両方を復元するデコーダの実施例を示す。
【図１２】図１２は、本発明に従って、副情報信号を復元して、非インターリーブ形態及びインターリーブ形態で記録された複数の副情報パックの両方を復元するデコーダの実施例を示す。
【符号の説明】
【００３７】
１    入力ターミナル
２    主情報エンコーダ
３    キュー情報エンコーダ
４    副情報エンコーダ
５    書き込み手段
６    光情報担体
７    読み取り手段
８    主情報デコーダ
９    キュー情報デコーダ
１０    副情報デコーダ
１２    システム・コントローラ
１３    ユーザ入力受信手段
１４    情報提供手段
４２    エラー検出及び訂正のためのデータを生成し且つ追加する手段
４３    インターリーブ手段
４４    ポストインターリーブ手段
４６    スイッチング手段
４７    符号ワード生成追加手段
ＣＳ１    第１チャネル信号
ＣＳ２    第２チャネル信号
ＣＳ３    第３チャネル信号
【図１】
2006313641.tif 000003
【図２】
2006313641.tif 000004
【図３】
2006313641.tif 000005
【図４】
2006313641.tif 000006
【図５】
2006313641.tif 000007
【図６】
2006313641.tif 000008
【図７】
2006313641.tif 000009
【図８】
2006313641.tif 000010
【図９】
2006313641.tif 000011
【図１０】
2006313641.tif 000012
【図１１】
2006313641.tif 000013
【図１２】
2006313641.tif 000014